(57)【要約】【課題】利用者にとって価値が高い媒体の入手可能性を高め得るようにする。【解決手段】現金自動預払機１の紙幣入出金機１０は、一般的に価値が高いと想定される特定記番号及び個別の利用者から申請され当該利用者にとって価値が高い特定記番号を予め特定記番号記憶部１１Ｓに記憶させ、入金取引において入金された紙幣の記番号をこの特定記番号と照合して、一致した場合には返却するか否かを利用者に問い合わせる。これにより紙幣入出金機１０は、利用者が気づかずに入金してしまった紙幣に特定紙幣が含まれていたとしても、これを通知することができ、指示に応じて利用者に返却することができる。【選択図】図６
2015170274.tif 000002
【特許請求の範囲】
【請求項１】
媒体に一意に付された識別番号のうち利用者にとって他の識別番号よりも価値が高い特定識別番号を記憶する記憶部と、
前記利用者との間で授受される前記媒体の前記識別番号を読み取る鑑別部と、
前記鑑別部により読み取られた前記識別番号である読取識別番号を前記特定識別番号と比較する比較部と、
前記読取識別番号が前記特定識別番号であった場合、当該特定識別番号が付された前記媒体である特定媒体を検知した旨を前記利用者に通知する通知部と
を具えることを特徴とする媒体処理装置。
【請求項２】
前記利用者を特定する利用者特定部
をさらに具え、
前記記憶部は、前記利用者により予め指定された前記識別番号を、当該利用者と対応付けて前記特定識別番号として記憶し、
前記比較部は、前記利用者特定部により特定された前記利用者に対応付けられた前記特定識別番号と、前記読取識別番号とを比較する
ことを特徴とする請求項１に記載の媒体処理装置。
【請求項３】
前記記憶部は、前記特定識別番号と対応付けて前記利用者により設定された情報を記憶し、
前記通知部は、前記特定媒体を検知した旨と共に、当該特定媒体と対応付けて設定された前記情報を前記利用者に通知する
ことを特徴とする請求項２に記載の媒体処理装置。
【請求項４】
情報処理装置に対し、
所定の鑑別部により、利用者との間で授受される媒体に一意に付された識別番号を読み取る鑑別ステップと、
前記鑑別ステップにより読み取られた前記識別番号である読取識別番号を、予め所定の記憶部に記憶され前記利用者にとって他の識別番号よりも価値が高い特定識別番号と比較する比較ステップと、
所定の通知部により、前記読取識別番号が前記特定識別番号であった場合、当該特定識別番号が付された前記媒体である特定媒体を検知した旨を前記利用者に通知する通知ステップと
を実行させるための媒体処理プログラム。
【請求項５】
利用者との間で取引される媒体を授受する授受部と、
前記媒体に一意に付された識別番号のうち前記利用者にとって他の識別番号よりも価値が高い特定識別番号を記憶する記憶部と、
前記授受部により前記利用者との間で授受される前記媒体の前記識別番号を読み取る鑑別部と、
前記鑑別部により読み取られた前記識別番号である読取識別番号を前記特定識別番号と比較する比較部と、
前記読取識別番号が前記特定識別番号であった場合、当該特定識別番号が付された前記媒体である特定媒体を検知した旨を前記利用者に通知する通知部と
を具えることを特徴とする媒体取引装置。
【請求項６】
前記利用者の操作指示を受け付ける操作部
をさらに具え、
前記鑑別部は、前記利用者から前記授受部を介して受け渡された前記媒体から前記識別番号を読み取り、
前記通知部は、前記読取識別番号が前記特定識別番号と一致した場合、前記特定媒体を検知した旨を前記利用者に通知すると共に、当該特定媒体を前記利用者に返却するか否かを確認し、
前記授受部は、前記操作部を介して前記利用者から前記特定媒体を返却する操作を受け付けた場合、当該特定媒体を前記利用者へ返却する
ことを特徴とする請求項５に記載の媒体取引装置。
【請求項７】
前記通知部は、前記特定媒体を前記利用者に返却するか否かを確認すると共に、前記特定媒体を前記利用者へ返却した後に当該利用者から受け渡されている全ての前記媒体に関する情報を通知する
ことを特徴とする請求項６に記載の媒体取引装置。
【請求項８】
前記授受部は、前記特定媒体を前記利用者に返却した後、当該利用者から他の前記媒体を受け付ける
ことを特徴とする請求項６に記載の媒体取引装置。
【請求項９】
前記授受部は、前記利用者から受け渡された前記媒体のうち前記特定媒体のみを前記利用者に返却する
ことを特徴とする請求項６に記載の媒体取引装置。
【請求項１０】
前記授受部は、前記利用者から受け渡された前記媒体のうち前記特定媒体を含む全ての前記媒体を前記利用者に返却する
ことを特徴とする請求項６に記載の媒体取引装置。
【請求項１１】
前記媒体を収納する収納庫
をさらに具え、
前記鑑別部は、前記収納庫から繰り出され前記利用者に受け渡すべき前記媒体から前記識別番号を読み取る
ことを特徴とする請求項５に記載の媒体取引装置。
【請求項１２】
前記媒体の取引内容及び前記特定識別番号をレシートに印字する印字部
をさらに具えることを特徴とする請求項５に記載の媒体取引装置。
【発明の詳細な説明】
【技術分野】
【０００１】
本発明は媒体処理装置、媒体処理プログラム及び媒体取引装置に関し、例えば利用者に要求された紙幣等の媒体を繰り出して所望の取引を行う現金自動預払機（ＡＴＭ）に適用して好適なものである。
【背景技術】
【０００２】
従来、金融機関等で使用される現金自動預払機等においては、顧客との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣の金種及び真偽を鑑別する鑑別部と、投入された紙幣を一時的に保留する一時保留部と、紙幣を金種ごとに格納する紙幣収納庫と、全体を制御する制御部等とを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出してその金種を鑑別部により再鑑別し、鑑別された金種に応じて各紙幣カセットへ収納する。
【０００５】
ところで各紙幣には、それぞれを一意に識別するための識別番号として、記番号が付されている。この記番号は、例えば所定桁数の文字及び数字の組み合わせとして構成される。一方、印刷技術を用いて精巧な偽造紙幣が作成された場合、同一の記番号が付されることが多い。
【０００６】
そこで現金自動預払機のなかには、偽造券として流通していることが知られている紙幣の記番号を予め記憶しておき、入金された各紙幣の記番号を鑑別部によって読み取り、読み取った記番号を記憶している偽造券の記番号と照合することにより、偽造券であるか否かを鑑別するものがある。ここで紙幣が偽造券であった場合、現金自動預払機は、当該紙幣を所定の収納庫に収納し、或いは利用者に返却する、といった所定の処理を行う（例えば、特許文献１参照）。
【先行技術文献】
【特許文献】
【０００７】
【特許文献１】特開２０１２−２３８１３８号公報（第１３図）
【発明の概要】
【発明が解決しようとする課題】
【０００８】
ところで記番号は、各紙幣に一意に割り当てられた番号ないし記号であるため、利用者が特定の記番号に価値を見出した場合、この記番号が付された紙幣の入手を望む場合もある。
【０００９】
この点に関し現金自動預払機は、入金された各紙幣や出金する各紙幣の記番号を鑑別部において読み取っているものの、読み取った記番号の活用方法として、偽造券であるか否かの判定に用い、また必要に応じて当該記番号を記録しておく程度に止まっており、利用者の利益に繋がるような活用はなされていなかった。
【００１０】
本発明は以上の点を考慮してなされたもので、利用者にとって価値が高い媒体の入手可能性を高め得る媒体処理装置、媒体処理プログラム及び媒体取引装置を提案しようとするものである。
【課題を解決するための手段】
【００１１】
かかる課題を解決するため本発明の媒体処理装置においては、媒体に一意に付された識別番号のうち利用者にとって他の識別番号よりも価値が高い特定識別番号を記憶する記憶部と、利用者との間で授受される媒体の識別番号を読み取る鑑別部と、鑑別部により読み取られた識別番号である読取識別番号を特定識別番号と比較する比較部と、読取識別番号が特定識別番号であった場合、当該特定識別番号が付された媒体である特定媒体を検知した旨を利用者に通知する通知部とを設けるようにした。
【００１２】
また本発明の媒体処理プログラムにおいては、情報処理装置に対し、所定の鑑別部により、利用者との間で授受される媒体に一意に付された識別番号を読み取る鑑別ステップと、鑑別ステップにより読み取られた識別番号である読取識別番号を、予め所定の記憶部に記憶され利用者にとって他の識別番号よりも価値が高い特定識別番号と比較する比較ステップと、所定の通知部により、読取識別番号が特定識別番号であった場合、当該特定識別番号が付された媒体である特定媒体を検知した旨を利用者に通知する通知ステップとを実行させるようにした。
【００１３】
さらに本発明の媒体取引装置においては、利用者との間で取引される媒体を授受する授受部と、媒体に一意に付された識別番号のうち利用者にとって他の識別番号よりも価値が高い特定識別番号を記憶する記憶部と、授受部により利用者との間で授受される媒体の識別番号を読み取る鑑別部と、鑑別部により読み取られた識別番号である読取識別番号を特定識別番号と比較する比較部と、読取識別番号が特定識別番号であった場合、当該特定識別番号が付された媒体である特定媒体を検知した旨を利用者に通知する通知部とを設けるようにした。
【００１４】
本発明では、利用者との間で授受される媒体から識別番号を読み取り、これが特定識別番号であった場合には、授受される媒体のなかに特定媒体が含まれることを利用者に通知できるので、この特定媒体の取り扱いについて利用者に指示させることで、さらに利用者の意に沿った処理を行うことができる。
【発明の効果】
【００１５】
本発明によれば、利用者との間で授受される媒体から読み取った識別番号が特定識別番号であった場合、授受される媒体のなかに特定媒体が含まれることを利用者に通知し、当該特定媒体の取り扱いについて当該利用者に指示させることができる。かくして本発明は、利用者にとって価値が高い媒体の入手可能性を高め得る媒体処理装置、媒体処理プログラム及び媒体取引装置を実現できる。
【図面の簡単な説明】
【００１６】
【図１】現金自動預払機の構成を示す略線的斜視図である。
【図２】紙幣入出金機の構成を示す略線図である。
【図３】現金自動預払機及び紙幣入出金機のブロック構成を示す略線図である。
【図４】共通特定記番号リスト及び個別特定記番号リストを示す略線図である。
【図５】第１の実施の形態による入金処理手順を示すフローチャートである。
【図６】返却確認画面を示す略線図である。
【図７】第２の実施の形態による入金処理手順（１）を示すフローチャートである。
【図８】第２の実施の形態による入金処理手順（２）を示すフローチャートである。
【図９】第３の実施の形態による入金処理手順（１）を示すフローチャートである。
【図１０】第３の実施の形態による入金処理手順（２）を示すフローチャートである。
【図１１】第４の実施の形態による出金処理手順を示すフローチャートである。
【図１２】出金確認画面を示す略線図である。
【発明を実施するための形態】
【００１７】
以下、発明を実施するための形態（以下実施の形態とする）について、図面を用いて説明する。
【００１８】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行う。以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００１９】
筐体２は、その前側に顧客が対峙した状態で紙幣の投入やタッチパネルによる操作等をしやすい箇所に顧客応対部３が設けられている。顧客応対部３は、顧客との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００２０】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、顧客が入金する紙幣が投入されると共に、顧客へ出金する紙幣ＢＬが排出される部分である。また入出金口５は、シャッタを駆動することにより開放又は閉塞する。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００２２】
筐体２内には、現金自動預払機１全体を統括制御する主制御部９や、紙幣に関する種々の処理を行う紙幣入出金機１０等が設けられている。
【００２３】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２４】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、偽券収納庫１８及び取忘収納庫１９が設けられている。
【００２５】
紙幣制御部１１は、図３に現金自動預払機１全体を含む紙幣入出金機１０のブロック構成を示すように、主制御部９と連携しながら、当該紙幣入出金機１０を統括的に制御するようになっている。紙幣制御部１１は、主制御部９と同様、図示しないＣＰＵを中心に構成されており、図示しないＲＯＭやフラッシュメモリ等から所定のプログラムを読み出して実行することにより、入金処理や出金処理等、種々の処理を行う。
【００２６】
また紙幣制御部１１は、内部にＲＡＭ及びフラッシュメモリ等でなる記憶部１１Ｍを有しており、この記憶部１１Ｍに入金プログラムや出金プログラム等の各種プログラムや紙幣に関する情報等の種々の情報を記憶させる。これに加えて紙幣制御部１１は、後述する特定記番号を記憶するための特定記番号記憶部１１Ｓも内部に有している。
【００２７】
入出金部１２（図２）は、上方が開放された箱状の収容器１２Ａを中心に構成されている。収容器１２Ａは、利用者との間で授受する紙幣、すなわち利用者へ受け渡すべき紙幣又は利用者から受け渡された紙幣を収容するようになっている。この収容器１２Ａは、長方形の紙葉状の媒体である紙幣の長手方向を左右に向けると共に紙面を前後方向に向け、且つ各紙面を互いに対向させるように集積した状態で、最大で２００枚の紙幣を収容することができる。
【００２８】
収容器１２Ａの上方には、開閉可能なシャッタ１２Ｂが設けられている。シャッタ１２Ｂは、開放されると収容器１２Ａ内に紙幣を投入させ、若しくは収容器１２Ａ内の紙幣を利用者に取り出させることができる一方、閉塞されると収容器１２Ａを利用者から遮蔽し、当該収容器１２Ａ内の紙幣に対するアクセスを禁止する。
【００２９】
また入出金部１２は、収容器１２Ａ内の紙幣を１枚ずつに分離して取り込み搬送部１３へ受け渡す取込口１２Ｃと、搬送部１３から搬送されてきた紙幣を収容器１２Ａ内へ放出する放出口１２Ｄとを有している。さらに入出金部１２は、収容器１２Ａ内に１枚以上の紙幣が収容されているか否かを検知する紙幣センサ１２Ｅが組み込まれている。この紙幣センサ１２Ｅによる検知結果は、紙幣制御部１１へ通知される。
【００３０】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００３１】
鑑別部１４は、内部に光学センサ、イメージセンサや磁気センサ等の各種センサを有しており、その内部で紙幣を搬送しながら、当該紙幣の金種及び真偽、並びに損傷の程度等を鑑別し、また記番号を読み取り、その鑑別結果及び記番号を紙幣制御部１１へ通知する。これに応じて紙幣制御部１１は、取得した鑑別結果及び記番号に基づいて各紙幣の搬送先を決定する（詳しくは後述する）。
【００３２】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出すようになっている。因みに一時保留部１５は、最大で例えば２００枚の紙幣を収納することができる。
【００３３】
紙幣収納庫１６は、内部に多数の紙幣を集積して収納するようになっている。この紙幣収納庫１６は、例えば入金取引において、鑑別部１４において損傷の程度が小さく再利用可能と鑑別された紙幣が金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３４】
リジェクト庫１７は、鑑別部１４において損傷の程度が大きく再利用すべきでないと鑑別された紙幣（いわゆるリジェクト紙幣）を収納する。偽券収納庫１８は、偽造されたと鑑別された紙幣（いわゆる偽券）を収納する。また取忘収納庫１９は、出金取引等において利用者が入出金部１２から取り忘れた紙幣を収納する。因みにリジェクト庫１７、偽券収納庫１８及び取忘収納庫１９は、何れも搬送部１３により搬送されてきた紙幣を収納できれば良いため、収納機能のみ有しており、紙幣収納庫１６のような繰出機能を有していない。
【００３５】
このように紙幣入出金機１０は、搬送部１３により鑑別部１４を通る搬送経路に沿って紙幣を搬送させる際、当該鑑別部１４において紙幣を鑑別させ、このとき当該紙幣の金種、真偽及び損傷の程度等に加えて、当該紙幣の記番号を読み取るようになっている。
【００３６】
［１−２．特定記番号の登録］
上述したように、現金自動預払機１において取り扱う紙幣には、それぞれ記番号、すなわち一意の識別番号が付されている。因みに本実施の形態では、例えば英文字２文字、数字６文字及び英文字１文字が順に並んだ９文字により記番号が構成されるものとする。
【００３７】
紙幣入出金機１０は、各桁を構成する数字に特殊性がある記番号を予め特定記番号として特定記番号記憶部１１Ｓに記憶させている。ここで各桁を構成する数字等に特殊性がある記番号とは、例えば数字の部分が「１１１１１１」や「７７７７７７」のような同一の数字でなる数字列、或いは「１２３４５６」のような順次増減する数字により構成された数字列を含む記番号である。因みに、このような記番号が付された紙幣は、収集家の間で高額で取引される場合があり、一般的に価値が高いと考えられる。
【００３８】
具体的に紙幣入出金機１０は、図４（Ａ）に示すように、各桁を構成する数字に特殊性がある記番号を、共通特定記番号リストＬ１に格納し、特定記番号記憶部１１Ｓに記憶させている。因みにこのような特定記番号は、収集家の間における取引情報等を基に選定される。
【００３９】
また紙幣入出金機１０は、特定の利用者にとって各桁を構成する数字に特別な意味があり価値が高い記番号を、予め申請させた上で、特定記番号として特定記番号記憶部１１Ｓに記憶させている。ここで特定の利用者にとって各桁を構成する数字に特別な意味があり価値が高い記番号とは、例えば利用者やその家族の生年月日が「２０１４年１月２５日」であった場合に年の下２桁、月の２桁及び日の２桁を連結させた「１４０１２５」のような数字や、贔屓のスポーツ選手の背番号が「５１」であった場合に「５１５１５１」のような数字を含む記番号等である。
【００４０】
さらに紙幣入出金機１０は、利用者の申請に基づいて特定記番号を予め申請させる場合、当該利用者の好みに応じて、例えば「誕生日」のように、その番号の説明も特定記番号記憶部１１Ｓに記憶させることができる。具体的に紙幣入出金機１０は、図４（Ｂ）に示すように、特定の利用者にとって各桁を構成する数字等に特別な意味がある記番号及びその説明を、当該利用者の口座番号等と対応付けて個別特定記番号リストＬ２に格納し、特定記番号記憶部１１Ｓに記憶させている。
【００４１】
このように紙幣入出金機１０は、利用者にとって他の記番号よりも価値が高いと想定される記番号を特定記番号として、特定記番号記憶部１１Ｓの共通特定記番号リストＬ１及び個別特定記番号リストＬ２に予め記憶させている。因みに特定記番号は、数字のみが指定されており、英文字の部分についてはいわゆるワイルドカード（何れの文字でも良い、図中では記号「＊」により示す）が指定されている。
【００４２】
［１−３．入金処理］
次に、紙幣入出金機１０における紙幣の入金処理について説明する。現金自動預払機１において利用者との間で入金取引が行われる場合、紙幣入出金機１０の紙幣制御部１１は、記憶部１１Ｍから入金プログラムを読み出して実行することにより、図５に示す入金処理手順ＲＴ１を開始してステップＳＰ１へ移る。
【００４３】
ステップＳＰ１において紙幣制御部１１は、主制御部９（図１）と連携しながら操作表示部６を介して入金取引の開始操作を受け付け、入出金部１２のシャッタ１２Ｂを開いて利用者に紙幣を収容器１２Ａ内へ投入させ、当該シャッタ１２Ｂを閉塞して次のステップＳＰ２へ移る。因みに紙幣制御部１１は、例えばカード入出口４（図１）を介してカード処理部４Ａ（図３）へキャッシュカードを挿入させ、その磁気情報を読み取ることで、この利用者の口座番号を特定する。
【００４４】
ステップＳＰ２において紙幣制御部１１は、入出金部１２の取込口１２Ｃにより収容器１２Ａ内から１枚の紙幣を取り込み、搬送部１３へ受け渡す。搬送部１３は、紙幣を短辺方向に沿って進行させ、鑑別部１４へ搬送する。さらに紙幣制御部１１は、鑑別部１４により紙幣を鑑別させ、その鑑別結果を取得して次のステップＳＰ３へ移る。
【００４５】
ステップＳＰ３において紙幣制御部１１は、鑑別結果として取得した記番号（以下これを読取記番号と呼ぶ）を、特定記番号記憶部１１Ｓに記憶している特定記番号と比較し、次のステップＳＰ４へ移る。このとき紙幣制御部１１は、特定記番号記憶部１１Ｓの共通特定記番号リストＬ１（図４（Ａ））に登録された全ての特定記番号と、個別特定記番号リストＬ２（図４（Ｂ））に登録された特定記番号のうち現在の利用者と口座番号が一致するものとを比較対象とする。また紙幣制御部１１は、特定記番号が数字の部分のみ設定されているため、数字の部分のみ比較処理を行い、英文字部分については比較しない。
【００４６】
ステップＳＰ４において紙幣制御部１１は、読取記番号が特定記番号であったか否か、具体的には読取記番号のうち数字の部分が特定記番号の数字と一致したか否かを判定する。ここで肯定結果が得られると、紙幣制御部１１は、次のステップＳＰ５へ移り、入金された紙幣のなかに特定記番号が付された紙幣（以下これを特定紙幣と呼ぶ）が存在することを記憶し、次のステップＳＰ６へ移る。一方、ステップＳＰ４において否定結果が得られた場合、紙幣制御部は次のステップＳＰ６へ移る。
【００４７】
ステップＳＰ６において紙幣制御部１１は、鑑別部１４において鑑別された紙幣を搬送部１３により一時保留部１５へ搬送させ、次のステップＳＰ７へ移る。ステップＳＰ７において紙幣制御部１１は、入出金部１２の紙幣センサ１２Ｅ（図２）からの通知を基に、収容器１２Ａ内の全ての紙幣を取り込み終えたか否かを判定する。ここで否定結果が得られると、紙幣制御部１１は、残りの紙幣を順次取り込むべく再度ステップＳＰ２へ戻る。
【００４８】
一方、ステップＳＰ７において肯定結果が得られると、紙幣制御部１１は次のステップＳＰ８へ移り、入金された全紙幣のなかに特定紙幣があったか否かを判定する。ここで肯定結果が得られると、このことは特定紙幣に応じた対処を行うべきであることを表しており、このとき紙幣制御部は次のステップＳＰ９へ移る。
【００４９】
ステップＳＰ９において紙幣制御部１１は、主制御部９（図１）と連携しながら、操作表示部６を介して図６に示すような返却確認画面Ｄ１を表示し、次のステップＳＰ１０へ移る。このとき紙幣制御部１１は、この返却確認画面Ｄ１を表示することにより、利用者に対し、投入された紙幣のなかに特定紙幣が含まれていたこと、金種、特定記番号、及びその特定記番号の説明を通知すると共に、この特定紙幣を返却するか否かを問い合わせる。
【００５０】
ステップＳＰ１０において紙幣制御部１１は、利用者から特定紙幣を返却する指示を受け付けたか否かを判定する。ここで肯定結果が得られると、紙幣制御部１１は、特定紙幣を含む全紙幣を利用者へ返却するべく、次のステップＳＰ１３へ移る。一方、ステップＳＰ１０において否定結果が得られると、このことは特定紙幣を返却する必要が無いことを表しており、このとき紙幣制御部１１は、次のステップＳＰ１１へ移る。
【００５１】
ステップＳＰ１１において紙幣制御部１１は、主制御部９（図１）と連携しながら、操作表示部６に所定の取引継続確認画面を表示することにより、利用者に対し、入金された紙幣の合計金額を提示すると共に、入金取引を継続するか否かを確認し、次のステップＳＰ１２へ移る。ステップＳＰ１２において紙幣制御部１１は、入金取引の継続指示があったか否かを判定する。ここで否定結果が得られると、このことは入金取引を中止すると共に入金された全ての紙幣を利用者に返却するべきであることを表しており、このとき紙幣制御部１１は次のステップＳＰ１３へ移る。
【００５２】
ステップＳＰ１３において紙幣制御部１１は、一時保留部１５に保留している全ての紙幣を搬送部１３により入出金部１２へ順次搬送して、次のステップＳＰ１４へ移る。ステップＳＰ１４において紙幣制御部１１は、入出金部１２のシャッタ１２Ｂを開放させることにより、収容器１２Ａ内の紙幣を利用者に取り出させた後、シャッタ１２Ｂを閉塞してからステップＳＰ１７へ移り、入金処理手順ＲＴ１を終了する。
【００５３】
因みに紙幣制御部１１は、特定紙幣を返却する場合には、操作表示部６に所定の表示画面を表示することにより、利用者に対し、特定紙幣の金種、特定記番号及び特定記番号の説明を再度通知すると共に、入金取引を行う場合には改めて最初から手続きを行うよう案内する。
【００５４】
一方、ステップＳＰ１２において肯定結果が得られると、このことは、入金された紙幣に特定紙幣が含まれていなかった状態、又は特定紙幣が含まれていたものの利用者により返却不要の指示がなされた状態であり、且つ入金取引の継続が指示されたことを表す。このとき紙幣制御部１１は、次のステップＳＰ１５へ移り、一時保留部に収納している全ての紙幣を搬送部１３によって鑑別部１４へ順次搬送することにより、当該鑑別部１４に各紙幣を鑑別させ、鑑別結果を取得して次のステップＳＰ１６へ移る。
【００５５】
ステップＳＰ１６において紙幣制御部１１は、各紙幣についての鑑別結果を基に、損傷の程度が小さい紙幣については金種ごとの紙幣収納庫１６を、また損傷の程度が大きい紙幣についてはリジェクト庫１７を、それぞれの搬送先として決定する。さらに紙幣制御部１１は、各紙幣を搬送部１３によりそれぞれの搬送先へ搬送して収納させ、次のステップＳＰ１７へ移って入金処理手順ＲＴ１を終了する。
【００５６】
このように紙幣入出金機１０は、入金取引において入金された紙幣に特定紙幣が含まれているか否かを判断し、含まれていた場合には、利用者に通知して特定紙幣を返却するか否かを確認し、返却の指示がなされた場合に特定紙幣を含む全紙幣を返却するようになっている。
【００５７】
［１−４．出金処理］
次に、紙幣入出金機１０における紙幣の出金処理について説明する。現金自動預払機１において利用者との間で出金取引が行われる場合、紙幣入出金機１０の紙幣制御部１１は、記憶部１１Ｍから出金プログラムを読み出して実行する。具体的に紙幣制御部１１は、まず主制御部９（図１）等と連携しながら、カード入出口４（図１）を介してカード処理部４Ａ（図３）へキャッシュカードを挿入させて口座番号を特定すると共に、操作表示部６を介して出金額を入力させる。
【００５８】
次に紙幣制御部１１は、入力された出金額を基に、出金する紙幣の金種及び枚数を決定し、この金種及び枚数に応じた紙幣を紙幣収納庫１６から繰り出させる。続いて紙幣制御部１１は、この紙幣を搬送部１３により鑑別部１４へ搬送して鑑別させ、その鑑別結果を基に、搬送状態（重送やスキューの有無）や損傷の程度に問題が無いことを確認する。
【００５９】
さらに紙幣制御部１１は、この紙幣を入出金部１２へ順次搬送し、放出口１２Ｄから収容器１２Ａ内へ順次放出する。紙幣制御部１１は、全ての紙幣を入出金部１２へ搬送し終えると、シャッタ１２Ｂを開放して利用者に紙幣を取り出させ、その後シャッタ１２Ｂを閉塞して出金取引を終了する。
【００６０】
［１−５．動作及び効果］
以上の構成において、第１の実施の形態による現金自動預払機１の紙幣入出金機１０は、利用者にとって価値が高い特定記番号を予め特定記番号記憶部１１Ｓに記憶させておく。そして紙幣入出金機１０は、入金取引において入金された紙幣の記番号をこの特定記番号と照合し、一致した場合には操作表示部６に返却確認画面Ｄ１（図５）を表示して返却するか否かを利用者に問い合わせ、指示に応じて返却する。
【００６１】
このため紙幣入出金機１０は、利用者が紙幣のなかに特定記番号が付された紙幣（特定紙幣）が含まれていたことに気づかずに入金したとしても、このことを利用者に知らせることができ、さらには必要に応じて返却できる。これを換言すれば、紙幣入出金機１０は、入金され一度利用者の手元から離れた紙幣が特定紙幣だった場合には、当該紙幣が本来的に当該利用者の所有物であったことを踏まえ、当該利用者の指示に基づき、当該利用者の手元に返却することができる。
【００６２】
また紙幣入出金機１０は、一般的に価値が高いと想定される特定記番号に加えて、個別の利用者にとって意味のある数字を、特定記番号として予め特定記番号記憶部１１Ｓの個別特定記番号リストＬ２に予め記憶させるため、利用者それぞれにとって価値が高い特定記番号をきめ細かく探し出すことができる。
【００６３】
さらに紙幣入出金機１０は、返却確認画面Ｄ１等に記番号を表示する際、その説明を併せて表示することにより、利用者が特定記番号のみからではその意味をとっさに思い出せなかったとしても、この説明からその意味を思い出し、返却の要否を容易に判断することができる。
【００６４】
そのうえ紙幣入出金機１０は、利用者が特定紙幣の返却を指示しなかった場合、入金取引を継続して正常に完了することができる。このため紙幣制御部１１は、特定紙幣に興味が無く入金取引の完了を重視する利用者に対し、余分な手間をかけさせること無く、円滑に入金取引を完了することができる。
【００６５】
ところで従来の紙幣入出金機は、紙幣の金種、真偽、損傷の程度等を鑑別し、さらには精巧な偽造紙幣の識別等をするために記番号を読み取る鑑別部を有しおり、また入金された紙幣については必ず鑑別部において鑑別していた。このため本実施の形態による紙幣入出金機１０は、特定記番号が付された紙幣を鑑別するためのイメージセンサ等を別途設ける必要が無く、また入金取引における紙幣の搬送経路や搬送手順についても従来から大きく変更する必要も無い。
【００６６】
また紙幣入出金機１０は、特定紙幣を利用者に返却する場合、入金された全紙幣を返却するため、特定紙幣を他の紙幣とより分けて利用者に返却する、といった複雑な紙幣の搬送処理を行う必要が無く、入金取引が中断された場合と同様の処理を行うだけで済む。
【００６７】
以上の構成によれば、第１の実施の形態による現金自動預払機１の紙幣入出金機１０は、一般的に価値が高いと想定される特定記番号及び個別の利用者から申請され当該利用者にとって価値が高い特定記番号を予め特定記番号記憶部１１Ｓに記憶させ、入金取引において入金された紙幣の記番号をこの特定記番号と照合して、一致した場合には返却するか否かを利用者に問い合わせる。これにより紙幣入出金機１０は、利用者が気づかずに入金してしまった紙幣に特定紙幣が含まれていたとしても、これを通知することができ、指示に応じて利用者に返却することができる。
【００６８】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２及び図３）は、第１の実施の形態による紙幣入出金機１０と比較して、紙幣制御部１１に代わる紙幣制御部１１１を有する点において相違するものの、他の点については同様に構成されている。
【００６９】
紙幣制御部１１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【００７０】
また紙幣制御部１１１は、第１の実施の形態と同様に共通特定記番号リストＬ１及び個別特定記番号リストＬ２（図４）を記憶する特定記番号記憶部１１Ｓを有する他、記憶部１１Ｍに代わる記憶部１１１Ｍを有している。記憶部１１１Ｍは、記憶部１１Ｍと同様、各種プログラム等の種々の情報を記憶するものの、第１の実施の形態とは異なる入金プログラムを記憶している。
【００７１】
［２−１．入金処理］
次に、紙幣入出金機１１０における紙幣の入金処理について説明する。現金自動預払機１０１において利用者との間で入金取引が行われる場合、紙幣入出金機１１０の紙幣制御部１１１は、記憶部１１１Ｍから入金プログラムを読み出して実行することにより、図５と対応する図７及び図８に示す入金処理手順ＲＴ２を開始してステップＳＰ２１へ移る。
【００７２】
紙幣制御部１１１は、ステップＳＰ２１〜ＳＰ２８において、第１の実施の形態におけるステップＳＰ１〜ＳＰ８とそれぞれ同様の処理を行う。ただし紙幣制御部１１１は、ステップＳＰ２５において特定記番号の存在を記憶する際、全ての紙幣に対する順序を合わせて記憶させておく。ステップＳＰ２８において肯定結果が得られると、紙幣制御部１１１は、次のステップＳＰ２９へ移る。
【００７３】
ステップＳＰ２９において紙幣制御部１１１は、主制御部９（図１）と連携しながら、操作表示部６を介して返却確認画面Ｄ１（図６）を表示して特定紙幣を返却するか否かを問い合わせ、特定紙幣を返却する指示若しくは返却しない指示を受け付けた上で、次のステップＳＰ３０へ移る。また紙幣制御部１１１は、ステップＳＰ２８において否定結果が得られた場合、特定紙幣について何ら問い合わせること無く、次のステップＳＰ３０へ移る。
【００７４】
ステップＳＰ３０において紙幣制御部１１１は、主制御部９（図１）と連携しながら、操作表示部６に所定の取引継続確認画面を表示することにより、利用者に対し、入金された紙幣の合計金額を提示すると共に、入金取引を継続するか否か、及び追加入金を行うか否かを確認し、次のステップＳＰ３１へ移る。
【００７５】
この取引継続確認画面において表示される合計金額は、特定紙幣の返却指示を受け付けた場合、この特定紙幣を除いた合計金額が表示される。また追加入金とは、特定紙幣があり、且つその返却指示を受け付けた場合に、利用者が予定していた金額に合わせるために、追加で紙幣を入金することを意味している。
【００７６】
ステップＳＰ３１において紙幣制御部１１１は、入金取引の継続指示があったか否かを判定する。ここで否定結果が得られると、このことは入金取引を中止すると共に入金された全ての紙幣を利用者に返却するべきであることを表しており、このとき紙幣制御部１１は次のステップＳＰ３２へ移る。
【００７７】
紙幣制御部１１１は、ステップＳＰ３２及び３３において、ステップＳＰ１３及び１４（図５）と同様の処理を行うことにより、一時保留部１５に保留していた全ての紙幣を入出金部１２へ搬送し、シャッタ１２Ｂを開放させて紙幣を利用者に取り出させた後、シャッタ１２Ｂを閉塞してからステップＳＰ４６（図８）へ移り、入金処理手順ＲＴ２を終了する。
【００７８】
一方、ステップＳＰ３１において肯定結果が得られると、紙幣制御部１１１は次のステップＳＰ３４へ移り、追加入金を行う指示があったか否かを判定する。ここで肯定結果が得られると、紙幣制御部１１１は、次のステップＳＰ３５へ移って入出金部１２のシャッタ１２Ｂを開放して利用者に追加の紙幣を入金させた上で、再度ステップＳＰ２２へ戻って一連の処理を繰り返す。
【００７９】
一方、ステップＳＰ３４において否定結果が得られると、このことは利用者が入金処理の継続を指示しており、且つこれ以上紙幣を入金する意図が無いため、一時保留部１５に収納している紙幣のうち特定紙幣を利用者に返却する一方、他の紙幣を紙幣収納庫１６又はリジェクト庫１７へ搬送して収納すべきことを表している。このとき紙幣制御部１１１は、次のステップＳＰ３６（図８）へ移る。
【００８０】
ステップＳＰ３６において紙幣制御部１１１は、ステップＳＰ２９（図７）において利用者から特定紙幣の返却指示を受け付けていたか否かを判定する。ここで否定結果が得られると、このことは特定紙幣があったとしても、全ての紙幣を返却すること無く収納すべきであることを表しており、このとき紙幣制御部１１１は次のステップＳＰ３７へ移る。
【００８１】
ステップＳＰ３７において紙幣制御部１１１は、ステップＳＰ１５及びＳＰ１６（図５）と同様、一時保留部１５に収納している全ての紙幣を鑑別部１４へ順次搬送して鑑別結果を取得し、これを基に紙幣収納庫１６又はリジェクト庫１７をそれぞれの搬送先として決定し、各紙幣を搬送して収納させた後、ステップＳＰ４６へ移って入金処理手順ＲＴ２を終了する。
【００８２】
一方、ステップＳＰ３６において肯定結果が得られると、このことは特定紙幣を利用者へ返却すると共に、他の紙幣を紙幣収納庫１６又はリジェクト庫１７へ収納すべきであることを表しており、このとき紙幣制御部１１１は次のステップＳＰ３９へ移る。
【００８３】
ステップＳＰ３９において紙幣制御部１１１は、一時保留部１５から次に繰り出される紙幣の順序を確認し、次のステップＳＰ４０へ移る。ステップＳＰ４０において紙幣制御部１１１は、記憶部１１１Ｍに記憶している特定紙幣の順序を基に、一時保留部１５において収納時と繰出時とで紙幣の順序が逆転することを考慮しながら、次に当該一時保留部１５から繰り出す紙幣が特定紙幣であるか否かを判定する。
【００８４】
ここで肯定結果が得られると、このことは次に一時保留部１５から繰り出される紙幣が特定紙幣であるため利用者へ返却すべきであることを表しており、このとき紙幣制御部１１１は次のステップＳＰ４１へ移る。ステップＳＰ４１において紙幣制御部１１１は、特定紙幣を搬送部１３により入出金部１２へ搬送し、放出口１２Ｄから収容器１２Ａ内へ放出させて、次のステップＳＰ４４へ移る。
【００８５】
一方、ステップＳＰ４０において否定結果が得られると、このことは次に一時保留部１５から繰り出される紙幣を紙幣収納庫１６又はリジェクト庫１７に収納すべきであることを表しており、このとき紙幣制御部１１１は次のステップＳＰ４２へ移る。ステップＳＰ４２において紙幣制御部１１１は、一時保留部１５から１枚の紙幣を搬送部１３によって鑑別部１４へ搬送させ、当該鑑別部１４に各紙幣を鑑別させて鑑別結果を取得して、次のステップＳＰ４３へ移る。
【００８６】
ステップＳＰ４３において紙幣制御部１１１は、この紙幣についての鑑別結果を基に、損傷の程度が小さい場合はその金種に応じた紙幣収納庫１６を、また損傷の程度が大きい紙幣についてはリジェクト庫１７を、搬送先として決定する。さらに紙幣制御部１１１は、この紙幣を搬送部１３によりこの搬送先へ搬送して収納させ、次のステップＳＰ４４へ移る。
【００８７】
ステップＳＰ４４において紙幣制御部１１１は、一時保留部１５内の全ての紙幣を繰り出して入出金部１２、紙幣収納庫１６又はリジェクト庫１７への搬送を完了したか否かを判別する。ここで否定結果が得られると、紙幣制御部１１１は、再びステップＳＰ３９へ戻って一連の処理を繰り返すことにより、一時保留部１５内の紙幣を順次搬送する。
【００８８】
一方、ステップＳＰ４４において肯定結果が得られると、このとき紙幣制御部１１１は次のステップＳＰ４５へ移り、入出金部１２のシャッタ１２Ｂを開放させて利用者に収容器１２Ａ内から特定紙幣を取り出させ、当該シャッタ１２Ｂを閉塞させてから次のステップＳＰ４６へ移って入金処理手順ＲＴ２を終了する。
【００８９】
［２−２．動作及び効果］
以上の構成において、第２の実施の形態による現金自動預払機１０１の紙幣入出金機１１０は、第１の実施の形態と同様、特定記番号を予め特定記番号記憶部１１Ｓに記憶させておき、入金取引において入金された紙幣の記番号をこの特定記番号と照合して、一致した場合には返却するか否かを利用者に問い合わせる。
【００９０】
このため紙幣入出金機１１０は、第１の実施の形態と同様、利用者が紙幣のなかに特定記番号が付された紙幣（特定紙幣）が含まれていたことに気づかずに入金したとしても、このことを利用者に知らせることができ、さらには必要に応じて返却できる。
【００９１】
特に紙幣入出金機１１０は、第１の実施の形態とは異なり、特定紙幣を利用者に返却する際、入金された全紙幣では無く、特定紙幣のみを選別して返却する（ステップＳＰ４０、ＳＰ４１及びＳＰ４５）。このため紙幣入出金機１１０は、利用者に多数の紙幣のなから特定紙幣を選び出させる必要が無く、容易に取得させることができる。
【００９２】
また紙幣入出金機１１０は、取引継続確認画面を表示する際に、追加入金を行うか否かを利用者に問い合わせ、行う指示を受けた場合には、入出金部１２から紙幣を再度入金させることができる。このため紙幣入出金機１１０は、特に特定紙幣を返却する場合に、当該特定紙幣を返却することに伴い入金額が当初の予定よりも減少しているところ、これを補う機会を利用者に与えることができる。すなわち紙幣入出金機１１０は、特定紙幣を利用者の手元に返却することができる上、当該利用者が当初予定していた金額での入金取引を行うこともできる。
【００９３】
その他の点についても、紙幣入出金機１１０は、第１の実施の形態による紙幣入出金機１０と同様の作用効果を奏し得る。
【００９４】
以上の構成によれば、第２の実施の形態による現金自動預払機１０１の紙幣入出金機１１０は、特定記番号を予め特定記番号記憶部１１Ｓに記憶させ、入金取引において入金された紙幣の記番号をこの特定記番号と照合して、一致した場合には返却するか否かを利用者に問い合わせ、また利用者の要望に応じて追加の入金を受け付ける。これにより紙幣入出金機１１０は、利用者が気づかずに入金してしまった紙幣に特定紙幣が含まれていたとしても、これを通知することができ、指示に応じて利用者に特定紙幣のみを返却することができ、さらに当初予定していた金額の入金取引を行わせることができる。
【００９５】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２及び図３）は、第１の実施の形態による紙幣入出金機１０と比較して、紙幣制御部１１に代わる紙幣制御部２１１を有する点において相違するものの、他の点については同様に構成されている。
【００９６】
紙幣制御部２１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【００９７】
また紙幣制御部２１１は、第１の実施の形態と同様に共通特定記番号リストＬ１及び個別特定記番号リストＬ２（図４）を記憶する特定記番号記憶部１１Ｓを有する他、記憶部１１Ｍに代わる記憶部２１１Ｍを有している。記憶部２１１Ｍは、記憶部１１Ｍと同様、各種プログラム等の種々の情報を記憶するものの、第１の実施の形態とは異なる入金プログラムを記憶している。
【００９８】
［３−１．入金処理］
次に、紙幣入出金機２１０における紙幣の入金処理について説明する。現金自動預払機２０１において利用者との間で入金取引が行われる場合、紙幣入出金機２１０の紙幣制御部２１１は、記憶部２１１Ｍから入金プログラムを読み出して実行することにより、図５と対応する図９及び図１０に示す入金処理手順ＲＴ３を開始してステップＳＰ５１へ移る。
【００９９】
紙幣制御部２１１は、ステップＳＰ５１〜ＳＰ５４において、第１の実施の形態におけるステップＳＰ１〜ＳＰ４（図９）と同様の処理を行う。このステップＳＰ４において肯定結果が得られた場合、紙幣制御部２１１は次のステップＳＰ５５へ移る。
【０１００】
ステップＳＰ５５において紙幣制御部２１１は、特定紙幣を搬送部１３により鑑別部１４から入出金部１２へ搬送させ、放出口１２Ｄ（図２）から放出させて収容器１２Ａ内へ放出させ、次のステップＳＰ５７へ移る。ここで収容器１２Ａは、内部に可動式の仕切板が設けられており、放出された特定紙幣を取込前の他の入金紙幣と区別した状態で収容する。
【０１０１】
一方、ステップＳＰ５４において否定結果が得られた場合、紙幣制御部２１１は次のステップＳＰ５６へ移り、搬送部１３により紙幣を鑑別部１４から一時保留部１５へ搬送させ、次のステップＳＰ５７へ移る。
【０１０２】
ステップＳＰ５７において紙幣制御部２１１は、収容器１２Ａに収容されている紙幣のうち当初入金された紙幣、すなわち特定紙幣として戻されたものを除いた紙幣の取込を完了したか否かを判定する。ここで否定結果が得られると、紙幣制御部２１１は、残りの紙幣を順次取り込むべく、再度ステップＳＰ５２へ戻る。
【０１０３】
一方、ステップＳＰ５７において肯定結果が得られると、紙幣制御部２１１は、次のステップＳＰ５８へ移る。ステップＳＰ５８〜ＳＰ６３において紙幣制御部２１１は、第２の実施の形態におけるステップＳＰ２８〜ＳＰ３３とそれぞれ同様の処理を行う。ただしステップＳＰ６２において紙幣制御部２１１は、既に特定紙幣が入出金部１２の収容器１２Ａ内へ搬送されていた場合には、残りの全ての紙幣を入出金部１２へ搬送する。
【０１０４】
一方、ステップＳＰ６１において肯定結果が得られると、紙幣制御部２１１は次のステップＳＰ６４（図１０）へ移り、ステップＳＰ５９（図９）において利用者から特定紙幣の返却指示を受け付けていたか否かを判定する。
【０１０５】
ここで否定結果が得られると、このことは特定紙幣があったとしても、全ての紙幣を返却すること無く収納すべきであることを表しており、このとき紙幣制御部１１１は次のステップＳＰ６５へ移る。ステップＳＰ６５は、入出金部１２へ搬送済みの特定紙幣を搬送部１３により一時保留部１５へ搬送することにより他の紙幣と同様に収納し、次のステップＳＰ７０へ移る。
【０１０６】
一方、ステップＳＰ６４において肯定結果が得られると、このことは既に入出金部１２へ搬送済みの特定紙幣を利用者に返却すべきであることを表しており、このとき紙幣制御部２１１は次のステップＳＰ６６へ移り、シャッタ１２Ｂを開放して利用者に収容器１２Ａから特定紙幣を取り出させ、当該シャッタ１２Ｂを閉塞して次のステップＳＰ６７へ移る。
【０１０７】
ステップＳＰ６７において紙幣制御部２１１は、主制御部９（図１）と連携して操作表示部６に所定の追加入金確認画面を表示させ、次のステップＳＰ６８へ移る。ここで追加入金確認画面には、特定紙幣を返却した後の合計金額、すなわち当初投入された紙幣の合計金額から特定紙幣の金額を差し引いた金額が表示されると共に、追加入金を行うか否かを問い合わせる内容が表示される。
【０１０８】
ステップＳＰ６８において紙幣制御部２１１は、追加入金の指示を受け付けたか否かを判定する。ここで肯定結果が得られると、紙幣制御部２１１は次のステップＳＰ６９へ移り、入出金部１２のシャッタ１２Ｂを開放して利用者に紙幣を投入させ、当該シャッタ１２Ｂを閉塞した後、再度ステップＳＰ５２（図９）へ戻り、追加して入金された紙幣に対し一連の処理を繰り返す。
【０１０９】
一方、ステップＳＰ６８において否定結果が得られると、このことは利用者が入金処理の継続を指示しており、且つこれ以上紙幣を入金する意図が無く、さらに特定紙幣を既に利用者に返却しているため、残った紙幣を紙幣収納庫１６又はリジェクト庫１７へ搬送して収納させるべきであることを表している。このとき紙幣制御部２１１は、次のステップＳＰ７０へ移る。
【０１１０】
ステップＳＰ７０において紙幣制御部２１１は、ステップＳＰ１５及びＳＰ１６（図５）と同様、一時保留部１５に収納している全ての紙幣を鑑別部１４へ順次搬送して鑑別結果を取得し、これを基に紙幣収納庫１６又はリジェクト庫１７を搬送先としてそれぞれ決定し、各紙幣を搬送して収納させた後、ステップＳＰ７２へ移って入金処理手順ＲＴ３を終了する。
【０１１１】
［３−２．動作及び効果］
以上の構成において、第３の実施の形態による現金自動預払機２０１の紙幣入出金機２１０は、第１の実施の形態と同様、特定記番号を予め特定記番号記憶部１１Ｓに記憶させておき、入金取引において入金された紙幣の記番号をこの特定記番号と照合して、一致した場合には返却するか否かを利用者に問い合わせる。
【０１１２】
このため紙幣入出金機２１０は、第１の実施の形態と同様、利用者が紙幣のなかに特定記番号が付された紙幣（特定紙幣）が含まれていたことに気づかずに入金したとしても、このことを利用者に知らせることができ、さらには必要に応じて返却できる。
【０１１３】
特に紙幣入出金機２１０は、第２の実施の形態と同様、特定紙幣を利用者に返却する際、入金された全紙幣では無く、特定紙幣のみを選別して返却する（ステップＳＰ５４、ＳＰ５５及びＳＰ６６）。このため紙幣入出金機２１０は、利用者に多数の紙幣のなから特定紙幣を選び出させる必要が無く、容易に取得させることができる。
【０１１４】
また紙幣入出金機２１０は、取引継続確認画面を表示する際に、追加入金を行うか否かを利用者に問い合わせ、行う指示を受けた場合には、入出金部１２から紙幣を再度入金させることができる。このため紙幣入出金機２１０は、第２の実施の形態と同様、特定紙幣を利用者の手元に返却することができる上、当該利用者が当初予定していた金額での入金取引を行うこともできるので、当該利用者の満足感を非常に高めることができる。
【０１１５】
さらに紙幣入出金機２１０は、入出金部１２から取り込んだ紙幣が特定紙幣であることが判明した場合、当該特定紙幣を一時保留部１５へ搬送すること無く、当該入出金部１２へ搬送して収容器１２Ａ内に収容しておく。このため紙幣入出金機２１０は、利用者から返却指示を受け付けた場合、シャッタ１２Ｂを開放するだけで、利用者を殆ど待たせること無く特定紙幣を取り出させることができる。
【０１１６】
その他の点についても、紙幣入出金機２１０は、第１の実施の形態による紙幣入出金機１０と同様の作用効果を奏し得る。
【０１１７】
以上の構成によれば、第３の実施の形態による現金自動預払機２０１の紙幣入出金機２１０は、特定記番号を予め特定記番号記憶部１１Ｓに記憶させ、入金取引において入金された紙幣の記番号をこの特定記番号と照合して、一致した場合には返却するか否かを利用者に問い合わせ、また利用者の要望に応じて追加の入金を受け付ける。これにより紙幣入出金機２１０は、利用者が気づかずに入金してしまった紙幣に特定紙幣が含まれていたとしても、これを通知することができ、指示に応じて利用者に特定紙幣のみを返却することができ、さらに当初予定していた金額の入金取引を行わせることができる。
【０１１８】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０（図２及び図３）は、第１の実施の形態による紙幣入出金機１０と比較して、紙幣制御部１１に代わる紙幣制御部３１１を有する点において相違するものの、他の点については同様に構成されている。
【０１１９】
紙幣制御部３１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【０１２０】
また紙幣制御部３１１は、第１の実施の形態と同様に共通特定記番号リストＬ１及び個別特定記番号リストＬ２（図４）を記憶する特定記番号記憶部１１Ｓを有する他、記憶部１１Ｍに代わる記憶部３１１Ｍを有している。記憶部３１１Ｍは、記憶部１１Ｍと同様、各種プログラム等の種々の情報を記憶するものの、第１の実施の形態とは異なる出金プログラムを記憶している。
【０１２１】
［４−１．出金処理］
次に、紙幣入出金機３１０における紙幣の出金処理について説明する。現金自動預払機３０１において利用者との間で出金取引が行われる場合、紙幣入出金機３１０の紙幣制御部３１１は、記憶部３１１Ｍから出金プログラムを読み出して実行することにより、図１１に示す出金処理手順ＲＴ４を開始してステップＳＰ８１へ移る。
【０１２２】
ステップＳＰ８１において紙幣制御部３１１は、主制御部９（図１）と連携しながら操作表示部６を介して出金取引の開始操作を受け付け、利用者に出金額を入力させて次のステップＳＰ８２へ移る。因みに紙幣制御部３１１は、例えばカード入出口４（図１）を介してカード処理部４Ａ（図３）へキャッシュカードを挿入させ、その磁気情報を読み取ることで、この利用者の口座番号を特定する。
【０１２３】
ステップＳＰ８２において紙幣制御部３１１は、出金額を基に出金する紙幣（以下これを出金紙幣と呼ぶ）の金種及び枚数を決定し、次のステップＳＰ８３へ移る。ステップＳＰ８３において紙幣制御部３１１は、紙幣収納庫１６から出金紙幣を構成する１枚の紙幣を繰り出し、次のステップＳＰ８４へ移る。ステップＳＰ８４において紙幣制御部３１１は、紙幣を鑑別部１４へ搬送して鑑別させることによりその鑑別結果及び記番号を取得し、次のステップＳＰ８５へ移る。
【０１２４】
ステップＳＰ８５において紙幣制御部３１１は、第１の実施の形態におけるステップＳＰ３（図５）と同様、取得した記番号（読取記番号）を、特定記番号記憶部１１Ｓに記憶している特定記番号と比較し、次のステップＳＰ８６へ移る。
【０１２５】
ステップＳＰ８６において紙幣制御部３１１は、読取記番号が特定記番号であったか否かを判定する。ここで肯定結果が得られると、紙幣制御部３１１は、次のステップＳＰ８７へ移り、出金紙幣のなかに特定記番号が付された紙幣（すなわち特定紙幣）が存在することを記憶し、次のステップＳＰ８８へ移る。一方、ステップＳＰ８６において否定結果が得られた場合、紙幣制御部３１１は次のステップＳＰ８８へ移る。
【０１２６】
ステップＳＰ８８において紙幣制御部３１１は、出金紙幣を紙幣収納庫１６から全て繰り出したか否かを判定する。ここで否定結果が得られると、紙幣制御部３１１は再びステップＳＰ８３へ戻ることにより、残りの出金紙幣を繰り出して一連の処理を繰り返す。
【０１２７】
一方、ステップＳＰ８８において肯定結果が得られると、このことは全ての出金紙幣が入出金部１２へ搬送されて収容器１２Ａ内に収容されていることを表している。このとき紙幣制御部３１１は、次のステップＳＰ８９へ移り、出金紙幣に特定紙幣が含まれていたか否かを判定する。ここで肯定結果が得られると、紙幣制御部３１１は次のステップＳＰ９０へ移る。
【０１２８】
ステップＳＰ９０において紙幣制御部３１１は、主制御部９（図１）と連携しながら、操作表示部６を介して図１２に示すような出金確認画面Ｄ２を表示し、次のステップＳＰ９１へ移る。このとき紙幣制御部３１１は、この出金確認画面Ｄ２を表示することにより、利用者に対し、出金される紙幣のなかに特定紙幣が含まれていること、金種、特定記番号、及びその特定記番号の説明を通知する。またこの出金確認画面Ｄ２には、ＧＵＩ（Graphical User Interface）による確認ボタンが表示されている。
【０１２９】
ステップＳＰ９１において紙幣制御部３１１は、出金確認画面Ｄ２の確認ボタンに対する押下操作がなされたか否かを確認する。ここで否定結果が得られると、このことは出金確認画面Ｄ２に表示した内容を利用者が読んでおらず、理解されていない可能性が高いことを表す。このとき紙幣制御部３１１はこのステップＳＰ９１を繰り返すことにより、利用者による確認ボタンの押下操作（タッチ操作）を待ち受ける。
【０１３０】
一方、ステップＳＰ９１において肯定結果が得られると、このことは出金確認画面Ｄ２に表示した内容を利用者が読んで理解した可能性が高いことを表しており、このとき紙幣制御部３１１は次のステップＳＰ９２へ移る。ステップＳＰ９２において紙幣制御部３１１は、入出金部１２のシャッタ１２Ｂを開放して出金紙幣を利用者に取り出させ、その後シャッタ１２Ｂを閉塞した上でステップＳＰ９３へ移り、この出金処理手順ＲＴ４を終了する。
【０１３１】
［４−２．動作及び効果］
以上の構成において、第４の実施の形態による現金自動預払機３０１の紙幣入出金機３１０は、特定記番号を予め特定記番号記憶部１１Ｓに記憶させておき、出金取引において出金する紙幣の記番号をこの特定記番号と照合して、一致した場合には特定紙幣が含まれる旨を利用者に通知する。
【０１３２】
このため紙幣入出金機３１０は、利用者に対し、指定された金額の紙幣を出金することに加えて、その紙幣のなかに特定記番号が付された紙幣（特定紙幣）が含まれていること、及びその記番号や説明を認識させることができる。
【０１３３】
また紙幣入出金機３１０は、出金確認画面Ｄ２（図１２）を表示する際、確認ボタンを表示し、当該確認ボタンが押下されるまで入出金部１２のシャッタ１２Ｂを開放させないようにした。これにより紙幣入出金機３１０は、利用者に出金確認画面Ｄ２の内容を確実に伝えることができ、見過ごされるおそれを格段に低減させることができる。
【０１３４】
さらに紙幣入出金機３１０は、特定記番号の設定に関し、第１の実施の形態と同様、一般的に価値が高いと想定される特定記番号に加えて、個別の利用者により申請され当該利用者にとって価値が高い数字を、特定記番号として予め特定記番号記憶部１１Ｓの個別特定記番号リストＬ２に予め記憶させるため、利用者の好みに応じた特定記番号をきめ細かく探し出すことができる。
【０１３５】
以上の構成によれば、第４の実施の形態による現金自動預払機３０１の紙幣入出金機３１０は、一般的に価値が高いと想定される特定記番号及び個別の利用者にとって意味のある特定記番号を予め特定記番号記憶部１１Ｓに記憶させ、出金取引において出金される紙幣の記番号をこの特定記番号と照合して、一致した場合には利用者に通知する。これにより紙幣入出金機３１０は、利用者が受け取る出金紙幣に特定紙幣が含まれていた場合、これを通知することができる。
【０１３６】
［５．他の実施の形態］
なお上述した第１の実施の形態においては、記番号が英文字及び数字の組み合わせである場合に、利用者の申請に基づいて特定記番号を特定記番号記憶部１１Ｓに記憶させる際、数字のみ全桁分を指定させる場合について述べた。しかしながら本発明はこれに限らず、例えば英文字についても利用者に指定させても良く、また数字の一部をワイルドカード（＊）として指定させても良い。この場合、記番号の比較処理においていわゆる部分一致の判断処理を行えば良い。第２〜第４の実施の形態についても同様である。
【０１３７】
また上述した第１の実施の形態においては、各桁を構成する数字に特殊性がある記番号と、特定の利用者にとって各桁を構成する数字に特別な意味があり価値が高い記番号とを、特定記番号として特定記番号記憶部１１Ｓに記憶させる場合について述べた。しかしながら本発明はこれに限らず、例えば各桁を構成する数字に特殊性がある記番号のみ、或いは特定の利用者にとって各桁を構成する数字に特別な意味があり価値が高い記番号のみを、特定記番号として特定記番号記憶部１１Ｓに記憶させても良い。第２〜第４の実施の形態についても同様である。
【０１３８】
さらに上述した第１の実施の形態においては、特定記番号及びその説明を返却確認画面Ｄ１（図５）に表示する場合について述べた。しかしながら本発明はこれに限らず、例えば返却確認画面Ｄ１への表示に加えて、入金取引の終了後にレシート処理部８Ａ（図３）により発行されるレシートに特定記番号及びその説明を印字するようにしても良い。第２〜第４の実施の形態についても同様である。また第４の実施の形態においては、例えば出金確認画面Ｄ２の表示及び確認ボタンの押下操作をトリガとするシャッタ１２Ｂの開放処理を省略し、通常の出金時と同様にシャッタ１２Ｂを開放させた上で、レシートに特定記番号及びその説明を印字するようにしても良い。
【０１３９】
また上述した第１の実施の形態においては、返却確認画面Ｄ１（図５）に具体的な記番号及びその説明を表示する場合について述べた。しかしながら本発明はこれに限らず、例えば説明を省略しても良く、或いは具体的な記番号の表示を省略して特定紙幣が存在することのみを通知するようにしても良い。第２〜第４の実施の形態についても同様である。
【０１４０】
さらに上述した第１の実施の形態においては、利用者の申請に基づいて特定記番号を個別特定記番号リストＬ２（図４）に格納して特定記番号記憶部１１Ｓに記憶させる際、当該特定記番号の説明も記憶させる場合について述べた。しかしながら本発明はこれに限らず、説明を省略して特定記番号のみを記憶させるようにしても良い。第２〜第４の実施の形態についても同様である。
【０１４１】
さらに上述した第１の実施の形態においては、利用者の申請に基づいて特定記番号を特定記番号記憶部１１Ｓに記憶させる際、金種については特に指定しない場合について述べた。しかしながら本発明はこれに限らず、例えば金種も指定できるようにしても良い。第２〜第４の実施の形態についても同様である。
【０１４２】
さらに上述した第１の実施の形態においては、入金された紙幣のなかに特定紙幣があった場合、利用者に対し、返却するか否かを問い合わせるようにした場合について述べた（図６）。しかしながら本発明はこれに限らず、例えば入金された紙幣のなかに特定紙幣があった場合、利用者に対し無条件に特定紙幣を返却するようにしても良い。第２及び第３の実施の形態についても同様である。
【０１４３】
さらに上述した第２及び第３の実施の形態においては、特定紙幣を返却する指示を受けた場合に、利用者の指示に応じて追加入金を受け付ける場合について述べた。しかしながら本発明はこれに限らず、追加入金を受け付けないようにしても良い。またこれと反対に、第１の実施の形態において、追加入金を受け付けるようにしても良い。
【０１４４】
さらに上述した第１の実施の形態においては、操作表示部６（図１）に表示する返却確認画面Ｄ１（図５）により特定紙幣の存在を利用者に通知する場合について述べた。しかしながら本発明はこれに限らず、例えば返却確認画面Ｄ１表示と共に所定の警告音を再生することにより利用者に通知するようにしても良い。第２及び第３の実施の形態についても同様である。また第４の実施の形態においては、例えば出金確認画面Ｄ２の表示を省略してレシートに特定記番号及びその説明を印字する場合に、警告音を再生するようにしても良い。
【０１４５】
さらに上述した第１の実施の形態においては、紙幣入出金機１０の紙幣制御部１１により入金処理手順ＲＴ１（図５）に従った入金処理を実行する場合について述べた。しかしながら本発明はこれに限らず、例えば主制御部９単独又は当該主制御部９及び紙幣制御部１１の協働により入金処理を実行しても良い。この場合、特定記番号については、紙幣制御部１１の特定記番号記憶部１１Ｓに限らず、主制御部９の記憶部に記憶させても良く、さらにはネットワーク等の通信手段を介して外部のサーバ等に記憶させ、そこから取得するようにしても良い。第２〜第４の実施の形態についても同様である。
【０１４６】
さらに上述した第１の実施の形態においては、入金プログラムを紙幣制御部１１の記憶部１１Ｍに予め記憶させる場合について述べた。しかしながら本発明はこれに限らず、例えば主制御部９の記憶部に記憶させておいても良く、また図示しないネットワークを介して外部のサーバ等からダウンロードして取得しても良い。第２〜第４の実施の形態についても同様である。
【０１４７】
さらに上述した第１の実施の形態においては、利用者との間で入金取引及び出金取引を行う現金自動預払機１の紙幣入出金機１０に本発明を適用した場合について述べた。しかしながら本発明はこれに限らず、例えば両替機や自動販売機など、利用者との間で商品の購入等に伴い紙幣を授受する種々の装置に本発明を適用しても良い。第２〜第４の実施の形態についても同様である。
【０１４８】
さらに上述した第１の実施の形態においては、一意の識別番号として記番号が付された紙幣を取り扱う現金自動預払機１の紙幣入出金機１０に本発明を適用した場合について述べた。しかしながら本発明はこれに限らず、例えば金券や証券等、一意の識別番号が付された種々の媒体を取り扱う種々の装置に本発明を適用しても良い。
【０１４９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５０】
さらに上述した第１の実施の形態においては、記憶部としての特定記番号記憶部１１Ｓと、鑑別部としての鑑別部１４と、比較部としての紙幣制御部１１と、通知部としての操作表示部６とによって媒体処理装置としての紙幣入出金機１０を構成する場合について述べた。しかしながら本発明はこれに限らず、その他種々の構成でなる記憶部と、鑑別部と、比較部と、通知部とによって媒体処理装置を構成するようにしても良い。
【０１５１】
さらに上述した第１の実施の形態においては、授受部としての入出金口５及び入出金部１２と、記憶部としての特定記番号記憶部１１Ｓと、鑑別部としての鑑別部１４と、比較部としての紙幣制御部１１と、通知部としての操作表示部６とによって媒体取引装置としての現金自動預払機１を構成する場合について述べた。しかしながら本発明はこれに限らず、その他種々の構成でなる授受部と、記憶部と、鑑別部と、比較部と、通知部とによって媒体取引装置を構成するようにしても良い。
【産業上の利用可能性】
【０１５２】
本発明は、一意の記番号が各紙幣に付された紙幣を利用者との間で取引する現金自動預払機等でも利用できる。
【符号の説明】
【０１５３】
１、１０１、２０１、３０１……現金自動預払機、２……筐体、４……カード入出口、５……入出金口、６……操作表示部、８……レシート発行口、９……主制御部、９Ｍ……記憶部、１０、１１０、２１０、３１０……紙幣入出金機、１１、１１１、２１１、３１１……紙幣制御部、１１Ｍ、１１１Ｍ、２１１Ｍ、３１１Ｍ……記憶部、１１Ｓ……特定記番号記憶部、１２……入出金部、１２Ａ……収容器、１２Ｂ……シャッタ、１３……搬送部、１４……鑑別部、Ｄ１……返却確認画面、Ｄ２……出金確認画面、Ｌ１……共通特定記番号リスト、Ｌ２……個別特定記番号リスト。
【図１】
2015170274.tif 000003
【図２】
2015170274.tif 000004
【図３】
2015170274.tif 000005
【図４】
2015170274.tif 000006
【図５】
2015170274.tif 000007
【図６】
2015170274.tif 000008
【図７】
2015170274.tif 000009
【図８】
2015170274.tif 000010
【図９】
2015170274.tif 000011
【図１０】
2015170274.tif 000012
【図１１】
2015170274.tif 000013
【図１２】
2015170274.tif 000014